(57)【要約】  【課題】    プラスチック廃棄物をできるだけ発生しないようにするとともに、製造が容易で安価に製造できるた押出式容器を提供する。  【解決手段】    半固体又は流動性のアイスクリーム（Ａ）を充填した可撓性を有するフィルムからなる密封体（１０）を有した押出式容器において、密閉体は、底面（１２）と側面（１４）とを有して上方に開口（１６）を有する容器状部分（１８）と、容器状部分の開口を閉鎖する蓋部分（２０）とからなり、底面には補強板（２４）が接着され、補強板と底面にはアイスクリームを押し出す押出孔（２６）が設けられ、押出孔は補強板の下面に接着した栓フィルム（２８）で封鎖される。  【選択図】    図１
2005271996.tif 000002
【特許請求の範囲】
【請求項１】
半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、
前記密封体は平らな底面を有し、該底面の下面には補強板が接着され、前記押出口は前記補強板と前記底面とを貫通して設けられ、前記栓フィルムは前記補強板の下面に接着されて前記押出口を閉鎖したことを特徴とする押出式容器。
【請求項２】
半固体又は流動性の物質が封入された密封体と、押出機で前記密封体を圧縮したときに前記物質が前記密封体から押し出される押出口と、該押出口を閉鎖する栓フィルムとを有した押出式容器であって、
前記密封体は、平らで可撓性のない厚い底面と、可撓性のある薄い側面及び上面とを有し、前記押出口は前記底面を貫通して設けられ、前記栓フィルムは前記底面の下面に接着されて前記押出口を封鎖したことを特徴とする押出式容器。
【請求項３】
前記密閉体の平面形が正方形又は正三角形とされたことを特徴とする請求項１又は２に記載の押出式容器。
【請求項４】
半固体又は流動性の物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、
前記密閉体は細長い形状とされ、前記密閉体の一端に前記ノズルが設けられ、押出機で前記密封体を長手方向に圧縮したときに前記ノズル内に入り込む凸部を前記密閉体の他端に設けたことを特徴とする押出式容器。
【請求項５】
半固体又は流動性の物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、
前記密閉体は細長い形状とされるとともに蛇腹構造により伸縮可能とされ、前記密閉体の一端に前記ノズルが設けられたことを特徴とする押出式容器。
【請求項６】
冷凍された物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、
前記密閉体は偏平な袋状であることを特徴とする押出式容器。
【請求項７】
半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、
前記密封体は平らな底面を有し、該底面の上面には補強板が接着され、前記押出口は前記補強板と前記底面とを貫通して設けられ、前記栓フィルムは前記底面の下面に接着されて前記押出口を封鎖したことを特徴とする押出式容器。
【請求項８】
半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、
前記密封体の底面には、前記押出口が設けられるとともに、前記押出口の周縁部分が厚くされ、前記栓フィルムは前記周縁部分に接着されて前記押出口を封鎖したことを特徴とする押出式容器。
【発明の詳細な説明】
【技術分野】
【０００１】
本発明は、半固形又は流動性の食品、特にアイスクリーム等の冷菓を収容し、底面の押出孔から押出し可能にされた押出式容器に関する。
【背景技術】
【０００２】
アイスクリームは、店舗等に設置された専用の冷蔵庫内で緩慢な攪拌を行いながら冷却保存されており、来客時に冷蔵庫内からコーン等の容器に供給することが行われている。近年では、アイスクリームに細菌等を混入させないという衛生上の理由や、冷蔵庫等の清掃や殺菌等の手間を省くために、工場でアイスクリームを押出式容器に密封し、店舗等では、専用の押出機を用いて押出式容器からアイスクリームをコーン等の容器に押し出すことが行われ始めた。
【０００３】
このような押出式容器としては、図８に示したようなものが提案されている（下記特許文献１参照）。この押出式容器は、プラスチック製の容器本体２の開口周縁に鍔部５を設け、容器本体２内に、アイスクリームＡを充填したプラスチック製の密封体１を収納している。この密封体１は、容器本体２の底面上部、内周面及び鍔部５上面にわたって接着される内側フィルム３と、鍔部５上で内側フィルム３に溶着される外側フィルム４からなる。容器本体２の底面と内側フィルム３の底面には押出孔８が貫通して設けられる。容器本体２の底面の下面には簡単に剥がすことができる栓フィルム９が接着されていて、押出孔８を閉鎖している。
【０００４】
この押出式容器からアイスクリームＡを押し出すには、栓フィルム９を剥がしてから、図９に示したように、押出式容器を専用の押出機Ｄの容器保持具Ｂにセットし、押出機ＤのプランジャＣを容器本体２内へ押し込んで、密封体１を圧縮する。すると、内側フィルム３と鍔部５との接着が剥がれ、密封体１は容器本体２内で圧縮されていく。密封体１が圧縮されると、アイスクリームＡは押出孔８からコーン等の容器内に押し出される。
【０００５】
【特許文献１】特開２００２−６８３０４号公報
【発明の開示】
【発明が解決しようとする課題】
【０００６】
ところで、現在、プラスチック廃棄物による地球の環境悪化が問題になってきている。前述の押出式容器を用いると、衛生的であり冷蔵庫内等の清掃や殺菌等の手間を減らせる利点があるものの、従来発生しなかったプラスチック廃棄物を多量に発生させるという問題がある。また、前述の押出式容器をでは、３次元形状の容器本体２に３次元形状の内側フィルム３を接着することに手間がかかり製造コストを高くするという問題もあった。
【０００７】
本発明は、前記問題に鑑みてなされたものであり、プラスチック部品数を減らしてプラスチック廃棄物をできるだけ発生しないようにするとともに、製造が容易で安価に製造できる押出式容器を提供する。
【課題を解決するための手段】
【０００８】
上記の課題を解決するため、請求項１に係る発明は、半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、前記密封体は平らな底面を有し、該底面の下面には補強板が接着され、前記押出口は前記補強板と前記底面とを貫通して設けられ、前記栓フィルムは前記補強板の下面に接着されて前記押出口を閉鎖したことを特徴とする。
【０００９】
請求項２に係る発明は、半固体又は流動性の物質が封入された密封体と、押出機で前記密封体を圧縮したときに前記物質が前記密封体から押し出される押出口と、該押出口を閉鎖する栓フィルムとを有した押出式容器であって、
前記密封体は、平らで可撓性のない厚い底面と、可撓性のある薄い側面及び上面とを有し、前記押出口は前記底面を貫通して設けられ、前記栓フィルムは前記底面の下面に接着されて前記押出口を封鎖したことを特徴とする。
【００１０】
請求項３に係る発明は、請求項１又は２係る発明において、前記密閉体の平面形が正方形又は正三角形とされたことを特徴とする。
【００１１】
請求項４に係る発明は、半固体又は流動性の物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、前記密閉体は細長い形状とされ、前記密閉体の一端に前記ノズルが設けられ、押出機で前記密封体を長手方向に圧縮したときに前記ノズル内に入り込む凸部を前記密閉体の他端に設けたことを特徴とする。
【００１２】
請求項５に係る発明は、半固体又は流動性の物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、前記密閉体は細長い形状とされるとともに蛇腹構造により伸縮可能とされ、前記密閉体の一端に前記ノズルが設けられたことを特徴とする。
【００１３】
請求項６に係る発明は、冷凍された物質が封入された可撓性を有するフィルムからなる密封体と、押出機で前記密封体を圧縮したときに前記物質が前記密封体から押し出されるノズルと、該ノズルを閉鎖するキャップとを有した押出式容器であって、前記密閉体は偏平な袋状であることを特徴とする。
【００１４】
請求項７に係る発明は、半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、前記密封体は平らな底面を有し、該底面の上面には補強板が接着され、前記押出口は前記補強板と前記底面とを貫通して設けられ、前記栓フィルムは前記底面の下面に接着されて前記押出口を封鎖したことを特徴とする。
【００１５】
請求項８に係る発明は、半固体又は流動性の物質が封入された可撓性を有するフィルムからなる密封体と、押出機で前記密封体を圧縮したときに前記物質が前記密封体から押し出される押出口と、該押出口を閉鎖する栓フィルムとを有した押出式容器であって、  前記密封体の底面には、前記押出口が設けられるとともに、前記押出口の周縁部分が厚くされ、前記栓フィルムは前記周縁部分に接着されて前記押出口を封鎖したことを特徴とする。
【発明の効果】
【００１６】
請求項１に係る発明によれば、密封体の底面を補強板によって補強したので、押出孔付近が補強され、密封体を補強するために従来使用されていた容器本体が不要になる。このため、プラスチック部品数が減るので、プラスチック廃棄物を発生しないようにするとともに、製造が容易で安価な押出式容器が得られる。
【００１７】
請求項２に係る発明によれば、密封体の底面を厚くしたので、押出孔付近が補強され、密封体を補強するために従来使用されていた容器本体が不要になる。このため、プラスチック部品数が減るので、プラスチック廃棄物を発生しないようにするとともに、製造が容易で安価な押出式容器が得られる。
【００１８】
請求項３に係る発明によれば、さらに、密閉体の平面形を正方形又は正三角形にしたので、押出式容器を隙間なく並べることができるので運搬と保管が便利になる。
【００１９】
請求項４に係る発明によれば、密閉体は細長い形状とされたから、ノズル付近での断面積変化が少なく、密封体内の物質を押し出すときにノズル付近の物質の流れがスムーズになって密封体に過度な圧力がかからくなり、密封体を補強するために従来使用されていた容器本体が不要になる。このため、プラスチック部品数を減らし、プラスチック廃棄物をできるだけ発生しないようにするとともに、製造が容易で安価な押出式容器が得られる。さらに、押出機で密封体を長手方向に圧縮したときにノズル内に入り込む凸部を設けたから、密封体内の物質を無駄なく押し出すことができる。
【００２０】
請求項５に係る発明によれば、密閉体は細長い形状とされたから、ノズル付近での断面積変化が少なく、密封体内の物質を押し出すときにノズル付近の物質の流れがスムーズになって密封体に過度な圧力がかからくなり、密封体を補強するために従来使用されていた容器本体が不要になる。このため、プラスチック部品数を減らし、プラスチック廃棄物をできるだけ発生しないようにするとともに、製造が容易で安価な押出式容器が得られる。さらに、密封体を蛇腹構造によって伸縮可能にしたので、密封体に金属等の強い材料を選択でき、密封体の材料の自由度が増す。
【００２１】
請求項６に係る発明によれば、密閉体を偏平にしたので、密閉体内に冷凍された物質を充填されている場合、曲げたり捻ったりして物質を細かく砕くことができ、短時間で密封体内の物質を押し出すことができる。また、密閉体を偏平にしたので、密封体の表面積が大きくなって熱が冷凍された物質に伝わりやすく、該物質が短時間で溶け、いっそう短時間で密封体内の物質を押し出すことができる。
【００２２】
請求項７に係る発明によれば、密封体の底面の上面に補強板を接着したから、補強板が容器状部分内に位置するため、補強板の位置合わせと接着が容易となり、この押出式容器の製造が容易となる。
【００２３】
請求項８に係る発明によれば、密封体の底面の押出口の周縁部分が厚くされたから、容器状部分１８の材料を節減できるうえ、底面１２を一様に厚くするより製造が容易である。
【発明を実施するための最良の形態】
【００２４】
以下、本発明の好適な実施例を図１−図７、図１０及び図１０に基づいて説明する。
【００２５】
本発明の第１実施例の押出式容器は、図１に示したように、アイスクリームＡを充填した薄いプラスチック製フィルムの密封体１０からなる。密封体１０は、底面１２と側面１４を有して上方に開口１６を有する容器状部分１８と、この容器状部分１８の開口１６を塞ぐ蓋部分２０である上面とからなる。容器状部分１８の開口１６周縁には、蓋部分２０を溶着するための鍔部２２が設けられる。密封体１０の各部は、アイスクリームＡを密封体１０内から押し出すときに、側面１４と蓋部分２０が容易に折り返されて変形する程度の可撓性を有するともに、このときに破けないだけの強さを持つ厚さが選定される。プラスチック製フィルムの材料としては、広い温度範囲特に低温での強さと可撓性の両立の点から直鎖状低密度ポリエチレン（ＬＬＤＰＥ）が適しており、その厚さは０．１−０．６ｍｍ程度にされる。
【００２６】
容器状部分１８の底面１２の下面にはプラスチック製の可撓性のない補強板２４が接着される。補強板２４の材料としては、強さと価格の点からポリエチレンテレフタレート（ＰＥＴ、特にＰＥＴＧ、ＡＰＥＴ）、ポリ塩化ビニル（ＰＶＣ）、ポリスチレン（ＰＳ）、等が適し、その厚さは０．２−０．８ｍｍ程度にされる。補強板２４と容器状部分１８の底面１２とを貫通させて押出孔２６が設けられる。押出孔２６は、星形、円形又は角形等の適宜形状でよい。そして、押出孔２６を閉鎖する栓フィルム２８が補強板２４の下面に接着される。栓フィルム２８と補強板２４との接着の強さは、栓フィルム２８を剥がそうとしたとき容易に剥がれる程度に設定される。補強板２４は、密封体１０の形状を保持するとともに、栓フィルム２８を確実に補強板２４に接着させて、密封体１０内を密閉するものである。
【００２７】
押出式容器の形状は、図２の（ａ）に示したように、通常のアイスクリーム容器と同じく逆円錐台状等、適宜形状でよいが、図２の（ｂ）又は（ｃ）に示したように、平面形が正方形又は正三角形の角錐台状にすると、隙間なく並べることができ、運搬と保管が便利になる。しかも、平面形が正方形又は正三角形の角錐台状とすると、同容積の場合、円錐台状のものに比べて側面積が増して、熱がアイスクリームＡに伝わり易くなるので、冷蔵庫から取り出すとアイスクリームＡが速く溶けて流動性を持ち、短時間にアイスクリームＡを密封体１０から押し出すことができる。
【００２８】
この押出式容器は、工場で、容器状部分１８内にアイスクリームＡを充填した後に、容器状部分２０の鍔部２２に蓋部分２０の周縁を溶着して、アイスクリームＡを密封体１０内に密閉して出荷される。アイスクリームＡを密封体１０から押し出すには、栓フィルム２８を補強板２４から剥がした後、図９に示した従来のものと同じく、押出式容器を押出機Ｄの容器保持具Ｂにセットし、プランジャＣで密封体１０を圧縮すればよい。このため、工場出荷後からアイスクリームＡを密封体１０から押し出すまで、アイスクリームＡに細菌等が混入する恐れがなくなり衛生的である。さらに、密封体１０を補強する容器本体を必要としないので、プラスチック部品数が減り、プラスチック廃棄物をできるだけ発生しないようにするとともに、製造が容易で安価な押出式容器が得られる。
【００２９】
本発明の第２実施例の押出式容器も、図３に示したように、第１実施例と同じくアイスクリームＡを充填したプラスチック製フィルムからなる密封体１０からなる。ただし、密封体１０の底面１２は、第１実施例の場合の補強板２４がなく、０．８−１．０ｍｍ程度に厚く形成される。そして、栓フィルム２８は直接底面１２に接着される。これ以外は、本実施例は前記第１実施例と同じである。そこで、図３においては、図１に示した第１実施例と同じ部分に同じ符号を付すに止めて、これ以上の説明を省略する。
【００３０】
本実施例の押出式容器は、第１実施例の場合よりも部品数が減るので、さらに製造が容易で安価な押出式容器が得られる。
【００３１】
本発明の第３実施例の押出式容器も、図４に示したように、アイスクリームＡを充填したプラスチック製フィルムからなる密封体１０からなる。ただし、密封体１０は、上下方向に細長い形状で、その一端である底面１２にはアイスクリームＡを押し出すノズル１７が設けられ、このノズル１７にキャップ３０が固着されて、ノズル１７は閉鎖される。キャップ３０をノズル１７に固着するには、接着、溶着、螺着、かしめ、締まり嵌め等の任意の固着手段でよいが、キャップ３０を外したいときには容易に外れるものとする。密閉体の他端である上面１５には内部に向かって凸部１９が設けられている。この凸部１９は、密封体１０を圧縮したとき、凸部１９がノズル１７内へ入り込み、アイスクリームＡを無駄なく密封体１０から押し出せるようにするものである。本実施例の密封体１０は、第１実施例と同じくＬＬＤＰＥ製で、厚さを０．１−０．６ｍｍ程度とする。
【００３２】
本実施例の押出式容器では、工場でノズル１７からアイスクリームＡを密封体１０内へ充填した後に、ノズル１７にキャップ３０を螺着により固着して、アイスクリームＡを密閉して出荷する。本実施例の場合、アイスクリームＡの芯が凍っていても、密封体１０が細長いので、曲げたり捻ったりすることによって芯を砕いて、アイスクリームＡに流動性を与えることができ、冷蔵庫から取り出すと短時間で密封体１０からアイスクリームＡを押し出すことができる。また、密封体１０が細長いので、密封体内１０内のアイスクリームＡを押し出すときに、ノズル１７付近でのアイスクリームＡの流れの断面積変化が少なく、ノズル１７からアイスクリームＡをスムーズに流出させることができる。
【００３３】
本実施例では、上面１５と側面１４と下面１２とを一体に構成したが、前記第１及び２実施例のように、上面１５を別体としておき、アイスクリームＡを密封体１０内へ充填した後に、上面１５の周縁を側面１４に上端に溶着してもよい。
【００３４】
本発明の第４実施例の押出式容器も、図５に示したように、第３実施例と同じくアイスクリームＡを充填したプラスチック製の密封体１０からなる。ただし、密封体１０の側面１４ａは蛇腹にされている。これ以外は第３実施例とは同じである。そこで、図面において、第３実施例と同じ部分に同じ符号を付すに止めて、これ以上の説明を省略する。本実施例の場合、側面１４ａが蛇腹にされているので、側面積が増して熱がアイスクリームＡに伝わり易く、アイスクリームＡがいっそう速く溶け、冷蔵庫から取り出すと短時間で密封体１０からアイスクリームＡを押し出すことができる。また、密封体１０に金属等の熱伝導率が良く硬い材料を使用しても、密封体１０を圧縮することができるので、密封体１０の材料選択の自由度が増す。
【００３５】
本発明の第５実施例の押出式容器は、図６に示したように、第３実施例と同じくアイスクリームＡを充填したプラスチック製の密封体１０からなる。ただし、図７に示したように、密封体１０は偏平な袋状をしており、密封体１０の開口部に密封体１０とは別体のノズル１７ａが溶着されており、上面１５にノズル１７ａ内へ入り込む凸部を設けていない。これ以外は第３実施例とは同じである。そこで、図面において、第３実施例と同じ部分に同じ符号を付すに止めて、これ以上の説明を省略する。本実施例の場合、密封体１０が偏平なので、側面積が増して熱がアイスクリームＡに伝わり易く、アイスクリームＡがいっそう速く溶け易く、また、密封体１０を曲げたり捻ったり変形させて凍った芯を砕くことができる。これにより、冷蔵庫から取り出すと短時間で密封体１０からアイスクリームＡを押し出すことができる。
【００３６】
本実施例でも、前記第１及び２実施例のように、上面１５を別体としておき、アイスクリームＡを密封体１０内へ充填した後に、上面１５の周縁を側面１４に上端に溶着してもよい。
【００３７】
本発明の第６実施例の押出式容器は、図１０に示したように、補強板２４が底面１２の上面に接着され、栓フィルム２８が底面１２の下面に接着されることを除いて、図１に示した第１実施例の押出式容器と同じである。本実施例によれば、補強板２４が容器状部分１８内に位置するため、補強板２４の位置合わせと接着が容易となり、この押出式容器自体の製造も容易となる。
【００３８】
本発明の第７実施例の押出式容器は、図１１に示したように、底面１２が押出孔２６の周縁部分２７のみが厚くされ、底面１２の押出孔２６の周縁部分２７以外は薄くて可撓性を有し、栓フィルム２８が周縁部分２７に接着されることを除いて、図３に示した第２実施例の押出式容器と同じである。本実施例によれば、容器状部分１８の材料を節減してプラスチック廃棄物をいっそう減らせるうえ、底面１２を一様に厚くするより製造が容易である。
【００３９】
ところで、本発明は、前記各実施例に限るものではなく、種々の変形が可能である。たとえば、密封体１０内に密閉する物質は、アイスクリーム等の冷菓に限るものではなく、細菌等の混入を防止しなければならない半固体又は流動性を有する食品等でもよい。
【図面の簡単な説明】
【００４０】
【図１】本発明の押出式容器の第１実施例を示す縦断面図である。
【図２】前記第１実施例の押出式容器の斜視図である。
【図３】本発明の押出式容器の第２実施例を示す縦断面図である。
【図４】本発明の押出式容器の第３実施例を示す縦断面図である。
【図５】本発明の押出式容器の第４実施例を示す縦断面図である。
【図６】本発明の押出式容器の第５実施例を示す縦断面図である。
【図７】前記第５実施例の押出式容器の斜視図である。
【図８】従来の押出式容器の縦断面図である。
【図９】押出式容器からアイスクリームを押し出す方法を説明する図である。
【図１０】本発明の押出式容器の第６実施例を示す縦断面図である。
【図１１】本発明の押出式容器の第７実施例を示す縦断面図である。
【符号の説明】
【００４１】
１０ 密閉体
１２ 底面
１４、１４ａ  側面
１５ 上面
１７、１７ａ  ノズル
１９ 凸部
２０ 蓋部分（上面）
２４ 補強板
２６ 押出孔
２８ 栓フィルム
３０ キャップ
Ａ アイスクリーム（半固体又は流動性の物質）
【図１】
2005271996.tif 000003
【図２】
2005271996.tif 000004
【図３】
2005271996.tif 000005
【図４】
2005271996.tif 000006
【図５】
2005271996.tif 000007
【図６】
2005271996.tif 000008
【図７】
2005271996.tif 000009
【図８】
2005271996.tif 000010
【図９】
2005271996.tif 000011
【図１０】
2005271996.tif 000012
【図１１】
2005271996.tif 000013